【手続補正書】
【提出日】平成23年6月27日(2011.6.27)
【手続補正１】
【補正対象書類名】特許請求の範囲
【補正対象項目名】全文
【補正方法】変更
【補正の内容】
【特許請求の範囲】
【請求項１】
光学系を構成する光学要素を保持する保持部材と、
該保持部材を、上記光学要素を通る光軸方向へ移動自在に支持する進退ガイド部材と、
上記保持部材に係合する着力状態で上記光軸方向に揺動可能で、かつ上記保持部材に対して上記進退ガイド部材に案内される移動方向への付勢力と、該移動方向と直交する方向への付勢力を同時に付与する付勢手段と、
上記光軸を囲む環状をなし、回転によって上記光学系を構成する少なくとも一つの光学要素を光軸方向に移動させる回転環と、
を備え、
上記付勢手段が上記回転環の径方向外側に位置することを特徴とする光学要素位置制御機構。
【請求項２】
請求項１記載の光学要素位置制御機構において、上記付勢手段は、上記光軸方向と直交する方向に軸線を向けて上記保持部材とは別の支持部材に支持されるコイル部と、該コイル部から外径方向に向けて延設され上記保持部材に係合する第１の腕部と、該コイル部から外径方向に向けて延設され上記支持部材に係合される第２の腕部を有し、保持部材の移動に応じてコイル部を中心とする回転方向の撓み量を変化させるばね部材からなり、該ばね部材の第１の腕部は、上記保持部材に係合しない自由状態においては、上記揺動によって定義される揺動面外に位置し、上記保持部材への着力状態になるとき該揺動面に接近する方向に弾性変形される光学要素位置制御機構。
【請求項３】
請求項１記載の光学要素位置制御機構において、上記付勢手段は、一端部が上記保持部材とは別の支持部材に軸支され他端部が上記保持部材に係合し、上記揺動中心に対して正逆いずれかの回転方向に付勢されたレバー部材を有し、該レバー部材が、上記保持部材に係合しない自由状態においては、上記揺動によって定義される揺動面外に位置し、上記保持部材への着力状態になるとき該揺動面に接近する方向に弾性変形される光学要素位置制御機構。
【請求項４】
請求項１ないし３のいずれか１項記載の光学要素位置制御機構において、上記進退ガイド部材は上記光軸方向へ軸線を向けたガイド軸であり、上記保持部材は該ガイド軸を摺動自在に挿通させるガイド穴を有し、上記付勢手段は、該ガイド穴近傍の当接部に当接して上記ガイド軸に保持部材のガイド穴の内壁を押し付けるように押圧する光学要素位置制御機構。
【請求項５】
請求項４記載の光学要素位置制御機構において、上記保持部材は、上記ガイド穴近傍の当接部から突出し、上記付勢部材の揺動方向の延長上に位置して上記移動方向の付勢力を受ける突起部を有している光学要素位置制御機構。
【請求項６】
請求項１ないし５のいずれか１項記載の光学要素位置制御機構において、上記付勢手段を、上記保持部材への着力状態で、該保持部材の移動方向と直交する方向へ押圧する押圧手段を有する光学要素位置制御機構。
【請求項７】
請求項６記載の光学要素位置制御機構において、上記押圧手段は、上記付勢手段の外側と内側の少なくとも一方に位置する固定壁部材を有し、上記付勢手段は、該固定壁部材に当接して上記保持部材の移動方向と直交する方向へ押圧される光学要素位置制御機構。
【請求項８】
請求項７記載の光学要素位置制御機構において、上記固定壁部材は、上記付勢手段の外側に位置する外側壁部材からなり、光軸へ接近する方向に付勢手段を押圧する光学要素位置制御機構。
【請求項９】
請求項７記載の光学要素位置制御機構において、上記固定壁部材は、上記付勢手段の内側に位置する内側壁部材からなり、光軸から離間する方向に付勢手段を押圧する光学要素位置制御機構。
【請求項１０】
請求項７ないし９のいずれか１項記載の光学要素位置制御機構において、上記固定壁部材は、上記付勢手段に当接する突出押圧部を有している光学要素位置制御機構。
【請求項１１】
請求項７ないし１０のいずれか１項記載の光学要素位置制御機構において、上記付勢手段は、上記固定壁部材側に向けて凸となる屈曲形状をなし、その屈曲部が固定壁部材に当接する光学要素位置制御機構。
【請求項１２】
請求項６記載の光学要素位置制御機構において、上記保持部材の外側に位置する内側筒状部材と、該内側筒状部材の外面に対向する外側壁部材を有し、
上記付勢手段は、上記内側筒状部材と外側壁部材の間に保持され、該内側筒状部材と外側壁部材のいずれかに当接して上記保持部材の移動方向と直交する方向へ押圧される光学要素位置制御機構。
【手続補正２】
【補正対象書類名】明細書
【補正対象項目名】０００４
【補正方法】変更
【補正の内容】
【０００４】
本発明の光学要素位置制御機構は、光学系を構成する光学要素を保持する保持部材と、この光学要素を通る光軸方向へ保持部材を移動自在に支持する進退ガイド部材と、保持部材に係合する着力状態において光軸と平行な平面内で揺動可能で、かつ保持部材に対して進退ガイド部材に案内される移動方向への付勢力と、該移動方向と直交する方向への付勢力を同時に付与する付勢手段と、光軸を囲む環状をなし、回転によって光学系を構成する少なくとも一つの光学要素を光軸方向に移動させる回転環とを備え、付勢手段が回転環の径方向外側に位置することを特徴としている。
【手続補正３】
【補正対象書類名】明細書
【補正対象項目名】００１２
【補正方法】変更
【補正の内容】
【００１２】
以上の本発明によれば、光学要素を通る光軸に沿う方向へ保持部材を移動付勢する付勢手段が、該移動方向と直交する方向への付勢も併せて行うため、部品点数の少ない簡単かつ省スペースな構成で、進退ガイド部におけるバックラッシュ取りを行うことができる。特に、付勢手段を回転環の径方向外側に位置させることで、回転環や該回転環によって駆動される部材との干渉を生じることなく付勢手段を好適な大きさに設定することが可能になっている。また、保持部材に対する着力状態にある付勢手段を、該保持部材の移動方向と直交する方向へ押圧する手段を備えることで、進退ガイド部のバックラッシュ除去に関してより高い効果を得ることができる。
【手続補正４】
【補正対象書類名】明細書
【補正対象項目名】００１８
【補正方法】変更
【補正の内容】
【００１８】
固定鏡筒２２のズームモータ支持部２２ｂの内部には、ズームモータ３２の駆動力をズームギヤ３１（図６、図７）に伝達する減速ギヤ列が設けられている。固定鏡筒２２の筒状ハウジング部２２ａの内側に支持されたカム環（回転環）１１の後端部には、ズームギヤ３１に噛合する環状ギヤ１１ａが設けられ、カム環１１はズームギヤ３１を介してズームモータ３２によって回転駆動される。カム環１１の環状ギヤ１１ａから外径方向に突出するガイド突起１１ｂが設けられ、ガイド突起１１ｂは、固定鏡筒２２の筒状ハウジング部２２ａの内周面に形成したカム環制御溝２２ｇに対して摺動可能に係合している。カム環制御溝２２ｇは、撮影光軸Ｏに対して所定の傾斜を有するリード溝部と、撮影光軸Ｏを中心とする周方向成分のみからなる周方向溝部とからなる。図１の収納（沈胴）状態と図２の上半断面のワイド端の間は、ズームモータ３２によって回転力を付与すると、カム環１１は、カム環制御溝２２ｇのリード溝部によってガイド突起１１ｂが案内されて回転しながら光軸方向に移動する。一方、ワイド端とテレ端の間の撮影状態にあるときには、ガイド突起１１ｂがカム環制御溝２２ｇの周方向溝部に位置し、ズームモータ３０の駆動に応じてカム環１１は光軸方向に移動せずに定位置で回転される。
【手続補正５】
【補正対象書類名】明細書
【補正対象項目名】００７５
【補正方法】変更
【補正の内容】
【００７５】
１  ズームレンズ鏡筒
１１  カム環（回転環）
１２  第２繰出筒
１３  第１繰出筒
２２  固定鏡筒（支持部材）
２２ａ  筒状ハウジング部（固定壁部材、内側壁部材、内側筒状部材）
２２ａ′  筒状ハウジング部
２２ｂ  ズームモータ支持部
２２ｃ  ＡＦモータ支持部
２２ｄ  前方壁部
２２ｅ  開口部
２２ｆ  直進ガイド溝
２２ｇ  カム環制御溝
２２ｈ  ２２ｉ  直進案内溝
２２ｊ  ばね支持突起
２２ｋ  ２２ｎ  固定突起
２２ｍ  揺動支持突起
２２ｍ  ばね掛け突起
２２ｐ  ２２ｑ  ばね掛け突起
２２ｒ  ばね押圧部（突出押圧部）
２３  鏡筒後面板
２３ｂ  保護壁部（固定壁部材、外側壁部材）
２３ｃ  ばね押圧部（突出押圧部）
２３ｄ  ばね支持突起
２４  ＣＣＤ
３０  ＡＦモータ
３２  ズームモータ
３６  送りねじ
３７  ＡＦナット
３８  ３群レンズ付勢ばね（付勢手段、ばね部材）
３８ａ  コイル部
３８ｂ  支持腕部（第２の腕部）
３８ｃ  付勢腕部（付勢手段、第１の腕部）
３８ｃ-１  外方延出部
３８ｃ-２  屈曲部
３８ｃ-３  内方延出部
３８ｘ  揺動中心軸
３９  ３９′  ばね留めねじ
４０  原点位置検出センサ
５１  ３群レンズ枠（光学要素の保持部材）
５１ａ  レンズ保持部
５１ｂ  ５１ｃ  ガイド腕部
５１ｄ  ガイド穴
５１ｅ  回転規制突起
５１ｆ  ナット当付部
５１ｇ  回り止め突起
５１ｈ  ばね掛け突起（突起部）
５１ｉ  センサ通過板
５１ｊ  レバー係合突起
５１ｋ  ５１ｋ′  立壁部
５１ｍ  ５１ｍ′  半円状断面部
５２  ３群ガイド軸（進退ガイド部材）
７０  揺動レバー（付勢手段、レバー部材）
７０ａ  メインアーム
７０ｂ  ７０ｃ  ばね掛けアーム
７０ｘ  揺動中心軸
１２２ｊ  ばね支持突起
１２２ｋ  固定突起
１３０  モータ
１３６  リードカム軸
１３６ａ  リード溝
１３８  レンズ枠付勢ばね（付勢手段、ばね部材）
１３８ａ  コイル部
１３８ｂ  支持腕部
１３８ｃ  付勢腕部（付勢手段）
１３８ｘ  揺動中心軸
１５１  レンズ枠（光学要素の保持部材）
１５１ａ  円筒状部
１５１ｂ  ガイドピン
１５１ｃ  ばね掛け突起（突起部）
１５１ｄ  回り止め溝
１５２  ガイド軸（進退ガイド部材）
１５３  回り止め軸
２３８  トーションばね
２３８ａ  コイル部
２３８ｂ  支持腕部
２３８ｃ  付勢腕部
３３８  引張ばね
４３８  引張ばね
ＬＧ  レンズ群
ＬＧ１  第１レンズ群
ＬＧ２  第２レンズ群
ＬＧ３  第３レンズ群
ＬＰＦ  ローパスフィルタ
Ｏ  撮影光軸
Ｑ  収納空間
Ｓ  シャッタ